(57)【要約】【課題】撮影時に撮影画角を確認してから撮影を行うことができる撮影システム、撮影装置、および補助装置を提供することを目的とする。【解決手段】画角内の現在の被写体像であるスルー画像を表わすスルー画像データを取得して表示し、撮影トリガを受けて画角内の被写体像である撮影画像を表わす撮影画像データを取得して記録する撮影装置と、画像を表示する表示画面を有する、前記撮影装置とは別体の補助装置とで構成される撮影システムである。撮影装置が補助装置に向けてスルー画像データを送信すると、補助装置が送信されてきたスルー画像データに基づくスルー画像を表示画面に表示することによって、撮影者は、表示画面に表示されたスルー画像を見て、撮影画角を確認することができる。【選択図】        図５
2006135587.tif 000002
【特許請求の範囲】
【請求項１】
画角内の現在の被写体像であるスルー画像を表わすスルー画像データを繰り返し取得して該スルー画像を表示し、撮影トリガを受けて該撮影トリガを受けた時点の画角内の被写体像である撮影画像を表わす撮影画像データを取得して記録する撮影装置と、
画像を表示する表示画面を有する、前記撮影装置とは別体の補助装置とを備え、
前記撮影装置が、前記補助装置に向けて前記スルー画像データを送信する画像送信部を備え、
前記補助装置が、前記撮影装置から送信されてきたスルー画像データを受信する画像受信部と、前記表示画面上に、前記画像受信部で受信したスルー画像データに基づくスルー画像を表示する画像表示部とを備えたことを特徴とする撮影システム。
【請求項２】
前記補助装置が、操作に応じて、前記撮影装置に向けて撮影トリガを送信するトリガ送信部を備え、
前記撮影装置が、前記補助装置から送信された撮影トリガを受信するトリガ受信部を備え、
前記撮影装置が、前記トリガ受信部における撮影トリガの受信を受けて前記撮影画像データを取得して記録するものであることを特徴とする請求項１記載の撮影システム。
【請求項３】
前記撮影装置が、該撮影装置でスルー画像を表示するためのスルー画像データに基づいて、該スルー画像データが表わすスルー画像と同一のスルー画像であって該スルー画像データよりもデータサイズの小さい縮小スルー画像データを生成するサイズ変換部を備え、
前記画像送信部は、前記サイズ変換部で生成された縮小スルー画像データを送信するものであることを特徴とする請求項１記載の撮影システム。
【請求項４】
画角内の現在の被写体像であるスルー画像を表わすスルー画像データを繰り返し取得して該スルー画像を表示し、撮影トリガを受けて該撮影トリガを受けた時点の画角内の被写体像である撮影画像を表わす撮影画像データを取得して記録する撮影装置において、
画像を表示する表示画面を有する、前記撮影装置とは別体の補助装置に向けて前記スルー画像データを送信する画像送信部を備えたものであることを特徴とする撮影装置。
【請求項５】
画角内の現在の被写体像であるスルー画像を表わすスルー画像データを繰り返し取得して該スルー画像を表示するとともに撮影トリガを受けて該撮影トリガを受けた時点の画角内の被写体像である撮影画像を表わす撮影画像データを取得して記録する撮影装置から送信されてきたスルー画像データを受信する画像受信部と、
画像を表示する表示画面上に、前記画像受信部で受信したスルー画像データに基づくスルー画像を表示する画像表示部とを備えたことを特徴とする補助装置。
【発明の詳細な説明】
【技術分野】
【０００１】
本発明は、被写体を撮影して撮影画像を表わす撮影画像データを生成する撮影システム、撮影装置、および、画像データに基づく画像を表示画面に表示する補助装置に関する。
【背景技術】
【０００２】
従来、被写体を撮影して、撮影画像を表わす撮影画像データを生成するデジタルカメラが広範に用いられている。デジタル化された撮影画像が生成されることによって、パーソナルコンピュータ等を使って撮影画像に所望の画像処理を施し、高品質な撮影画像を取得することができるうえ、ＣＤ−ＲＯＭなどに撮影画像を記録することができるため、長期に渡って画質を維持して撮影画像を保存することができる。近年では、デジタルカメラに高画素なＣＣＤ（Ｃｈａｒｇｅ  Ｃｏｕｐｌｅ  Ｄｅｖｉｃｅ）などが搭載され、デジタルカメラで撮影される撮影画像自体も高画質化されている。
【０００３】
また、デジタルカメラにも、無線や赤外線などを使ったデータ通信機能を搭載することが考えられており、そうすることによってプリンタなどに手軽に撮影画像を送受信することができる。特許文献１には、画像データが保存されたデータ源を識別し、そのデータ源に応じた通信インタフェースを介して画像データを取得して、取得した画像データを記録媒体に記録する記録装置について記載されている。この記録装置をパーソナルコンピュータやプリンタ内に設けることによって、デジタルカメラに保存された撮影画像を受信して、その撮影画像をパーソナルコンピュータやプリンタ内のメモリに確実に記録することができ、撮影画像を電子メールに添付して友人などに送ったり、家庭用プリンタで撮影画像をその場でプリント出力することができる。
【０００４】
以上のように、デジタルカメラの分野においては、撮影画像の高画質化に加えて、パーソナルコンピュータやプリンタとデジタルカメラとの間のユーザインタフェースの向上など、外部機器までをも含めた撮影システム全体の機能向上が図られている。
【０００５】
ところで、被写体を撮影する際には、撮影画像の画質や外部機器との間のユーザインタフェースだけでなく、カメラ自体の使いやすさも重要な要素となる。通常、デジタルカメラには表示画面が備えられており、その表示画面に、現在、撮影画角内に位置する被写体が撮影されたスルー画像が表示されることによって、撮影者はファインダを覗かなくても撮影画角内の構図を確認して撮影を行うことができる。また、近年では、デジタルカメラに撮影指示を伝えるリモートコントローラが備えられ、撮影者がデジタルカメラから離れた場所にいても、リモートコントローラを使って手元で撮影指示を送ることができるデジタルカメラも用いられてきている。
【特許文献１】特開２００３−１２７４７２号公報
【発明の開示】
【発明が解決しようとする課題】
【０００６】
しかし、例えば、他人に頼んで自分自身を撮影してもらうときなどには、デジタルカメラを使って撮影画角内の構図を自分で確認することができないため、撮影された撮影画像が所望の構図になっていないことなどがある。また、撮影画角内の構図を確認してデジタルカメラの向きを合わせた後に、リモートコントローラを使ってデジタルカメラに撮影指示を送る場合であっても、自分が撮影画角内に入った構図を確認したのではないため、上記と同様な不具合が生じる恐れがある。
【０００７】
本発明は、上記事情に鑑み、撮影時に撮影画角内の構図を確認してから撮影を行うことができる撮影システム、撮影装置、および補助装置を提供することを目的とする。
【課題を解決するための手段】
【０００８】
上記目的を達成する本発明の撮影システムは、画角内の現在の被写体像であるスルー画像を表わすスルー画像データを繰り返し取得してスルー画像を表示し、撮影トリガを受けて撮影トリガを受けた時点の画角内の被写体像である撮影画像を表わす撮影画像データを取得して記録する撮影装置と、
画像を表示する表示画面を有する、撮影装置とは別体の補助装置とを備え、
撮影装置が、補助装置に向けてスルー画像データを送信する画像送信部を備え、
補助装置が、撮影装置から送信されてきたスルー画像データを受信する画像受信部と、表示画面上に、画像受信部で受信したスルー画像データに基づくスルー画像を表示する画像表示部とを備えたことを特徴とする。
【０００９】
本発明の撮影システムによると、撮影装置で取得されたスルー画像データが補助装置に送信され、補助装置でスルー画像データに基づくスルー画像が表示される。例えば、他人に頼んで自分を撮影してもらう場合などに、その人に撮影装置を渡し、自分では補助装置を持って補助装置の表示画面に表示されたスルー画像を目視することによって、現在の画角内の構図を随時に確認して、撮影装置を持つ人に撮影を指示あるいは依頼することができる。尚、近年では、赤外線などによる通信機能が搭載された携帯電話が広範に用いられており、この携帯電話を補助装置として適用することによって、新たな補助装置を持ち運ぶ手間をかけずに、本発明の撮影システムを実現することができる。
【００１０】
また、本発明の撮影システムにおいて、上記補助装置が、操作に応じて、撮影装置に向けて撮影トリガを送信するトリガ送信部を備え、
撮影装置が、補助装置から送信された撮影トリガを受信するトリガ受信部を備え、
撮影装置が、トリガ受信部における撮影トリガの受信を受けて前記撮影画像データを取得して記録するものであることが好ましい。
【００１１】
撮影装置において、補助装置から送信された撮影トリガを受けて撮影画像データが取得されることによって、例えば、撮影装置を置いて、自分は撮影装置から離れた場所に移動し、補助装置に表示されたスルー画像を使って撮影画角内の構図を確認してから、補助装置を使って撮影装置に撮影トリガを送信することによって、撮影装置から離れた場所にいても所望の構図で撮影を行うことができる。
【００１２】
また、本発明の撮影システムにおいて、上記撮影装置が、撮影装置でスルー画像を表示するためのスルー画像データに基づいて、スルー画像データが表わすスルー画像と同一のスルー画像であってスルー画像データよりもデータサイズの小さい縮小スルー画像データを生成するサイズ変換部を備え、
画像送信部は、サイズ変換部で生成された縮小スルー画像データを送信するものであることが好ましい。
【００１３】
スルー画像データよりもデータサイズの小さい縮小スルー画像データが補助装置に送られることによって、データの通信速度が向上する。
【００１４】
また、上記目的を達成する本発明の撮影装置は、画角内の現在の被写体像であるスルー画像を表わすスルー画像データを繰り返し取得してスルー画像を表示し、撮影トリガを受けて撮影トリガを受けた時点の画角内の被写体像である撮影画像を表わす撮影画像データを取得して記録する撮影装置において、
画像を表示する表示画面を有する、撮影装置とは別体の補助装置に向けてスルー画像データを送信する画像送信部を備えたものであることを特徴とする。
【００１５】
本発明の撮影装置によると、補助装置に向けてスルー画像データが送信されるため、補助装置を持つオペレータに現在の撮影画角の構図を伝えることができる。
【００１６】
尚、本発明にいう撮影装置については、ここではその基本形態のみを示すのにとどめるが、これは単に重複を避けるためであり、本発明にいう撮影装置には、上記の基本形態のみではなく、前述した撮影システムの各形態に対応する各種の形態が含まれる。
【００１７】
また、上記目的を達成する本発明の補助装置は、画角内の現在の被写体像であるスルー画像を表わすスルー画像データを繰り返し取得してスルー画像を表示するとともに撮影トリガを受けて撮影トリガを受けた時点の画角内の被写体像である撮影画像を表わす撮影画像データを取得して記録する撮影装置から送信されてきたスルー画像データを受信する画像受信部と、
画像を表示する表示画面上に、画像受信部で受信したスルー画像データに基づくスルー画像を表示する画像表示部とを備えたことを特徴とする。
【００１８】
本発明の補助装置によると、撮影装置において、現在、撮影画角内にある被写体像を確認することができる。
【００１９】
尚、本発明にいう補助装置についても、ここではその基本形態のみを示すのにとどめるが、これは単に重複を避けるためであり、本発明にいう補助装置には、上記の基本形態のみではなく、前述した撮影システムの各形態に対応する各種の形態が含まれる。
【発明の効果】
【００２０】
本発明によれば、撮影時に撮影画角内の構図を確認してから撮影を行うことができる撮影システム、撮影装置、および補助装置を提供することができる。
【発明を実施するための最良の形態】
【００２１】
以下、本発明の実施形態について説明する。
【００２２】
図１は、本発明の一実施形態が適用された撮影システムを構成するデジタルカメラの外観図であり、図２は、その撮影システムを構成する携帯電話の外観図である。
【００２３】
図１（Ａ）には、デジタルカメラ１００の正面図が示されている。このデジタルカメラ１００は、本発明にいう撮影装置の一実施形態であり、外観上、撮影画角を変更するズームレンズや被写体に焦点を合わせるフォーカスレンズなどで構成される撮影レンズ１０１、撮影者が被写体の位置などを定めるために覗くファインダ１０２、撮影時に押されるシャッタボタン１０５、シャッタボタン１０５の押下に同期して発光する閃光発光装置１０３、スライド式の電源ボタン１０４、外部装置との間でデータを送受信するためのアンテナ１２１ａが備えられている。
【００２４】
また、図１（Ｂ）には、デジタルカメラ１００の背面図が示されている。デジタルカメラ１００の背面には、図１（Ａ）にも示すファインダ１０２、指定内容の確定に使用されるＯＫボタン１０６、操作の中止を指定するキャンセルボタン１０７、液晶パネル１０８による画像表示をオン／オフするための液晶起動ボタン１０８ａ、このデジタルカメラ１００に備えられている、被写体を撮影する‘撮影／記録機能’と、記録メディア１４０に記録された撮影画像を液晶パネル１０８に表示する‘再生機能’のうちのいずれかを選択する際に操作する機能選択レバー１０９、各種機能の選択を行なう際に操作する十字キー１１０が示されている。本実施形態においては、十字キー１１０を使って、ズーム番号、閃光発光の有無、画像データサイズ、撮影モード（人物モード、風景モード、夜景モード）などを選択することができる。ズーム番号が小さいほど焦点距離が長くなり、望遠撮影を行なう際に選択され、逆に、ズーム番号が大きいほど焦点距離が短くなり、広角撮影を行なう際に選択される。また、本実施形態においては、撮影モードとして、近距離にある被写体にピントを合わせて撮影する‘人物モード’、撮影画角全体にピントを合わせて撮影する‘風景モード’、暗い場所で被写体を撮影する‘夜景モード’のうちのいずれかを選択可能である。
【００２５】
また、図２に示す携帯電話２００は、本発明にいう補助装置の一実施形態であり、メニュー画面や、ユーザがプッシュボタン２０５を押下して入力した電話番号などが表示される液晶パネル２０１、内部にスピーカ（図４参照）が配備され、スピーカから発せられる音声を放つための送話口２０２、電話局を介して音声やメールなどのデータを送受信するための第１アンテナ２０３、各種機能の選択を行なう際に操作する、上下左右４方向に押下可能な４方向ボタン２０４、電話番号を入力するためのプッシュボタン２０５、内部にマイクロフォン（図４参照）が配備され、声をマイクロフォンに伝えるための受話口２０６、ユーザが入力した電話番号などを確定するための確定ボタン２０７、電源ボタン２０８、および電話局を介さずに、近距離用の無線通信によって画像などのデータを送受信するための第２アンテナ２１７ａが備えられている。
【００２６】
まず、図１に示すデジタルカメラ１００について説明する。
【００２７】
図３は、デジタルカメラ１００のブロック図である。
【００２８】
デジタルカメラ１００には、ズームレンズ１１１、ズーム用モータドライバ１１１ａ、フォーカスレンズ１１２、フォーカス用モータドライバ１１２ａ、アイリス１１３、アイリス用モータドライバ１１３ａ、ＣＣＤ１１４、Ａ／Ｄ（Ａｎａｌｏｇ／Ｄｅｇｉｔａｌ）変換部１１５、画像入力コントローラ１１６、画像信号処理部１１７、ビデオエンコーダ１１８、ＣＰＵ１１９、通信コントローラ１２０、データ送受信部１２１、圧縮処理部１２２、サイズ変換部１２３、メモリ１２４、メディアコントローラ１２５、シャッタスイッチ１２６、送受信スイッチ１２７、画像表示装置１３０、シャッタスイッチ１５１、画像表示スイッチ１５２、ＯＫスイッチ１５３、キャンセルスイッチ１５６、電源スイッチ１５７、機能切替スイッチ１５４、選択ダイヤル１５５が具備されており、さらに、記録メディア１４０が接続されている。デジタルカメラ１００には、これらの他にも、図１の閃光発光装置１０３やシャッタなどが備えられているが、これらは本発明の主題とは無関係であるので図示を省略する。
【００２９】
まず、各スイッチ、ダイヤル、およびキーについて説明する。
【００３０】
シャッタスイッチ１５１は、シャッタを切るためのスイッチである。図１（Ａ）のシャッタボタン１０５が押されるとシャッタスイッチ１５１が入る。また、図１（Ａ）の電源ボタン１０４がスライドされると、電源スイッチ１５７が入ってデジタルカメラ１００の電源がＯＮ／ＯＦＦされ、図１（Ｂ）の液晶起動ボタン１０８ａが押されると、画像表示スイッチ１５２が入って液晶パネル１０８にメニュー画面や画像が表示／表示停止され、ＯＫボタン１０６が押されると、ＯＫスイッチ１５３が入ってユーザが指定した指定内容が確定され、キャンセルボタン１０７が押されると、キャンセルスイッチ１５６が入って指定内容が取り消される。機能切替スイッチ１５４は、機能選択レバー１０９での選択結果に従って、撮影／記録機能と再生機能とを切り替えるスイッチである。選択ダイヤル１５５は、十字キー１１０を使って選択された、ズーム番号、閃光発光の有無、画像データサイズ、撮影モードなどを設定するためのものである。ズーム番号が小さいほど、望遠撮影用に焦点距離が長く調整されて撮影が行われ、ズーム番号が大きいほど、広角撮影用に焦点距離が短く調整されて撮影が行われる。また、撮影モードとして人物モードが設定されたときには、標準のプログラム線図に従うシャッタスピードおよび絞り値で撮影が行われ、風景モードが設定されたときには、アイリス１１３が絞られて被写体深度が深い状態で撮影が行われ、夜景モードが設定されたときには、アイリス１１３が開放されて撮影が行われる。
【００３１】
これら各種スイッチで設定された設定内容は、ＣＰＵ１１９に伝えられる。
【００３２】
続いて、被写体光を受光し、撮影画像を表わす撮影画像データを取得する部分について説明する。
【００３３】
本来、撮影装置には複数のレンズが配備され、それら複数のレンズのうち少なくとも１つのレンズがピント調節に大きく関与し、各レンズの相対位置が焦点距離に関与するが、この図３では、それら複数のレンズのうち、焦点距離の調節に係わるレンズをズームレンズ１１１として模式的に示しており、同じくピントの調節に係わるレンズをフォーカスレンズ１１２として模式的に示している。ズームレンズ１１１にはモータが取り付けられており、そのモータはズーム用モータドライバ１１１ａによって駆動される。また、フォーカスレンズ１１２にも、フォーカス用モータドライバ１１２ａによって駆動されるモータが取り付けられている。
【００３４】
アイリス１１３は、絞り径を変化させることによって、ＣＣＤ１１４で受光される被写体光の光量を調整する絞りである。ＣＰＵ１１９からの指示に従って、アイリス用モータドライバ１１３ａがアイリス１１３にとりつけられたモータを駆動すると、アイリス１１３の絞り径が絞り値に応じた大きさに設定される。
【００３５】
ＣＣＤ１１４は、図１（Ａ）の撮影レンズ１０１を通ってきた被写体光を受光して、被写体光に基づく被写体像を、アナログ信号である被写体信号として読み取る。このデジタルカメラ１００では、シャッタボタン１０５が押されて被写体が撮影される撮影時の前にも、フォーカスレンズ１１２の合焦位置を検出する合焦検出処理や、スルー画像表示のために、解像度が低い一時的な画像データ（以下では、この解像度が低い一時的な画像データを低解像度データと称する）が生成される。ＣＣＤ１１４で生成された被写体信号は、図１（Ａ）のシャッタボタン１０５が押されたときは、そのままＡ／Ｄ変換部１１５に出力され、撮影の前には、所定のタイミングごとに、低解像度データ用に間引かれてＡ／Ｄ変換部１１５に出力される。
【００３６】
Ａ／Ｄ変換部１１５は、被写体信号をデジタルデータである画像データに変換する。画像入力コントローラ１１６は、画像データの出力先を制御する。
【００３７】
前述したように、ＣＣＤ１１４では所定のタイミングごとに間引かれた被写体信号が生成されるため、Ａ／Ｄ変換部１１５でも所定のタイミングごとに低解像度データが生成され続ける。低解像度データは、画像入力コントローラ１１６を介して、ＣＰＵ１１９や画像信号処理部１１７やサイズ変換部１２３に送られる。画像信号処理部１１７に送られた低解像度データは、所定の画像処理（後述する）が施された後にビデオエンコーダ１１８に送られ、データ形式が変換された後に画像表示装置１３０に送られて、図１（Ｂ）に示す液晶パネル１０８にスルー画像として表示される。また、撮影時に生成される画像データ（以下では、撮影時に生成される画像データを撮影画像データと称する）は、画像入力コントローラ１１６を介して一旦メモリ１２４に送られる。
【００３８】
メモリ１２４には、このデジタルカメラ１００内で実行されるプログラムが記憶されたり、中間バッファとして用いられる記録速度が高速なＳＤＲＡＭ、各種メニュー画面用のデータや、ユーザの設定内容などが記憶されたデータ保存用のメモリであるＳＲＡＭ、圧縮された画像データが記憶されるＶＲＡＭが含まれている。ＶＲＡＭは、複数領域に分割されており、画像データが複数領域に順番に記憶され、記憶された画像データはビデオエンコーダ１１８やメディアコントローラ１２５に順次に読み出される。
【００３９】
ＣＰＵ１１９は、図３に示すデジタルカメラ１００の各種要素を制御する。また、ＣＰＵ１１９は、画像入力コントローラ１１６を介して送られてきた低解像度データに基づいて、シャッタスピードや絞り値を決定するとともに、フォーカスレンズ１１２を光軸方向に移動させながら繰り返し取得した低解像度データに基づいて、フォーカスレンズ１１２の合焦位置を決定する。
【００４０】
アンテナ１２１ａは、外部装置との間で電波を送受信するものであり、データ送受信部１２１は、アンテナ１２１ａで受信された電波をピックアップして信号を取り出したり、逆に、各種データを電波に変換してアンテナ１２１ａに伝える。外部装置からスルー画像を送信する要求が受信されると、画像入力コントローラ１１６を介してサイズ変換部１２３に低解像度データが送られ、サイズ変換部１２４は、低解像度データが表わすスルー画像と同一の画像を表わし、低解像度データよりも更にデータサイズが小さい縮小スルー画像データを生成する。生成された縮小スルー画像データは、通信コントローラ１２０を介してデータ送受信部１２１に送られ、電波に変換されてからアンテナ１２１ａから外部装置に送信される。データ送受信部１２１とアンテナ１２１ａを合わせたものは、本発明にいう画像送信部の一例にあたり、サイズ変換部１２３は、本発明にいうサイズ変換部の一例に相当する。
【００４１】
撮影時に生成されて、メモリ１２４に記憶された撮影画像データは、ＣＰＵ１１９からの指示に従って、画像信号処理部１１７によって取得される。画像信号処理部１１７は、撮影画像データにＲＧＢレベルの調節、ガンマ調整等を施す。画像処理が施された撮影画像データは、圧縮処理部１２２に送られる。圧縮処理部１２２は、画像処理が施された撮影画像データに圧縮処理を施し、圧縮後の撮影画像データをメモリ１２４に送る。ビデオエンコーダ１１８は、ＣＰＵ１１９からの指示に従って、メモリ１２４から圧縮後の撮影画像データを取得し、圧縮後の撮影画像データを液晶パネル１０８で表示できるデータの形式に変換する。変換後の撮影画像データは画像表示装置１３０に送られ、画像表示装置１３０によって、撮影画像データが表す撮影画像が液晶パネル１０８に表示される。メディアコントローラ１２５は、メモリ１２４に記憶された圧縮後の撮影画像データを記録メディア１４０へ記録したり、記録メディア１４０に記録された撮影画像データを読み出すためのものである。
【００４２】
続いて、図２に示す携帯電話２００について説明する。
【００４３】
図４は、携帯電話２００のブロック図である。
【００４４】
携帯電話２００には、マイクロフォン２４１、スピーカ２４２、インタフェース部２４０、第１送受信部２１１、第１アンテナ２１１ａ、入力コントローラ２１２、画像信号処理部２１３、ビデオエンコーダ２１４、ＣＰＵ２１５、通信コントローラ２１６、第２送受信部２１７、第２アンテナ２１７ａ、メモリ２１８、画像表示装置２２０、ダイヤルスイッチ２３１、確定スイッチ２３２、電源スイッチ２３３、および４方向スイッチ２３４が具備されている。
【００４５】
メモリ２１８も、図３に示すデジタルカメラ１００のメモリ１２４と同様に、携帯電話２００内で実行されるプログラムが記憶されるＳＤＲＡＭ、各種メニュー画面用のデータや、電話帳のデータなどが記憶されるＳＲＡＭ、圧縮された画像データが記憶されるＶＲＡＭが含まれている。
【００４６】
図２に示す電源ボタン２０８が押下されると、電源スイッチ２３３が入って携帯電話２００の電源がＯＮされる。プッシュボタン２０５を使って電話番号が入力され、確定ボタン２０７が押下されると、ダイヤルスイッチ２３１によって電話番号が設定され、確定スイッチ２３２が入って相手装置との通信が開始される。このとき、携帯電話２００の電話番号や入力された電話番号などの通信情報がＣＰＵ２１５から第１送受信部２１１に伝えられ、第１送受信部２１１では、通信情報が電波に変換されてアンテナ２１１ａに伝えられ、アンテナ２１１ａから電波が発せられる。アンテナ２１１ａから発せられた電波は、共同アンテナ（図示しない）を介して電話局に伝わり、電話局で、指定された電話番号が割り当てられた相手装置との接続が確立される。
【００４７】
相手装置との接続が確立すると、ユーザが携帯電話２００に向けて発した声が図１（Ｂ）に示すマイクロフォン２４１で集音され、集音された声がインタフェース部２４０で音声データを表わす電波に変換されて、第１アンテナ２１１ａによって相手装置に送信される。また、第１アンテナ２１１ａを介して受信された音声用の電波は、インタフェース部２４０で音声データに変換され、スピーカ２４２から音声として発せられる。第１送受信部２１１、第１アンテナ２１１ａでは、音声データだけではなく、電話番号の代わりにメールアドレスを使ってメールを表わすメールデータも送受信される。第１アンテナ２１１ａで受信されて、第１送受信部２１１でデジタル化されたメールデータは、入力コントローラ２１２によってメモリ２１８に記憶される。
【００４８】
また、この携帯電話２００には、電話局を介して相手装置と通信するための通信インタフェース（第１送受信部２１１、アンテナ２１１ａ）とは別に、電話局を介さずに通信するための近距離用の無線通信インタフェース（第２送受信部２１７、第２アンテナ２１７ａ）も備えられている。電話局を介さずに、外部装置から直接送信されてきた電波が第２アンテナ２１７ａで受信されると、その受信された電波が第２送受信部２１７でピックアップされて、デジタルのデータに変換される。逆に、外部装置にデータを送信するときには、通信コントローラ２１６を介して第２送受信部２１７にデータが伝えられ、そのデータが第２送受信部２１７で電波に変換されて、第２アンテナ２１７ａから発せられる。第２送受信部２１７と第２アンテナ２１７ａとを合わせたものは、本発明にいう画像受信部の一例に相当する。
【００４９】
この第２アンテナ２１７ａで画像を表わす電波が受信されると、第２送受信部２１７では電波がデジタルの画像データに変換される。変換された画像データは、入力コントローラ２１２を介して画像信号処理部２１３に送られて、画像信号処理部２１３でＲＧＢレベルの調節、ガンマ調整等などが施される。さらに、画像データはビデオエンコーダ２１４に送られ、ビデオエンコーダ２１４で液晶パネル２０１に表示することができるデータ形式に変換されてから画像表示装置２２０に送られる。画像表示装置２２０は、液晶パネル２０１に画像データが表わす画像を表示させる。画像表示装置２２０、および図２に示す液晶パネル２０１とを合わせたものは、本発明にいう画像表示部の一例に相当する。
【００５０】
尚、本実施形態においては、デジタルカメラ１００のデータ送受信部１２１とアンテナ１２１ａ、および携帯電話２００の第２送受信部２１７と第２アンテナ２１７ａとして、近距離無線通信用の通信インタフェースが用いられる。近距離無線通信用の通信インタフェースとしては、ブルートゥース（Ｂｌｕｅｔｏｏｔｈ）などを適用することができる。
【００５１】
本実施形態のデジタルカメラ１００、および携帯電話２００は、基本的には以上のように構成されている。
【００５２】
ここで、デジタルカメラ１００、および携帯電話２００で構成される撮影システムにおける本発明の特徴は、デジタルカメラ１００から離れた場所にいるユーザが、携帯電話２００を使って、撮影前に撮影画角内の構図を確認するための一連の処理にある。
【００５３】
図５は、デジタルカメラ１００において、縮小スルー画像データを送信する一連の処理を示すフローチャートであり、図６は、携帯電話２００において、縮小スルー画像データを受信して、縮小スルー画像を表示する一連の処理を示すフローチャートである。
【００５４】
ここでは、ユーザが携帯電話２００を自分自身（以下では、携帯ユーザと称する）で持ち、他人（以下では、カメラユーザと称する）にデジタルカメラ１００を預けて撮影を依頼する場合について説明する。
【００５５】
カメラユーザによって、図１（Ａ）に示すデジタルカメラ１００の電源ボタン１０４がスライドされると、デジタルカメラ１００の内部では、図３に示す電源スイッチ１５７が入って、デジタルカメラ１００に電源が投入される。
【００５６】
電源が投入されると、ＣＣＤ１１４において、所定タイミングごとに被写体光が粗く読み取られて被写体信号が生成される。生成された被写体信号は、Ａ／Ｄ変換部１１５に送られて、Ａ／Ｄ変換部１１５で低解像度データが生成される。
【００５７】
カメラユーザが、図１（Ｂ）の液晶起動ボタン１０８ａを押下すると、デジタルカメラ１００の内部では、画像表示スイッチ１５２が入ったことがＣＰＵ１１９に伝えられる。ＣＰＵ１１９にスイッチ状態が伝わると、Ａ／Ｄ変換部１１５で生成された低解像度データが画像入力コントローラ１１６を介して画像信号処理部１１７に送られる。画像信号処理部１１７に送られた低解像度データは画像処理が施され、ビデオエンコーダ１１８に送られて、液晶パネル１０８で表示可能なデータ形式に変換される。変換後の低解像度データは画像表示装置１３０に送られ、画像表示装置１３０は、低解像度データに基づいて、液晶パネル１０８にスルー画像を表示する。
【００５８】
さらに、カメラユーザは、十字キー１１０を押下して、スルー画像を携帯電話２００に表示させるための送信モード設定画面の表示を指定する。このとき、デジタルカメラ１００の内部では、ビデオエンコーダ１１８において、メモリ１２４に予め記憶された送信モード設定画面用のデータが取得される。ビデオエンコーダ１１８で取得されたデータは、画像表示装置１３０に送られ、液晶パネル１０８に送信モード設定画面が表示される。
【００５９】
図７は、デジタルカメラ１００および携帯電話２００それぞれの表示画面を示す図である。
【００６０】
デジタルカメラ１００の液晶パネル１０８には、送信モード設定画面１００＿１が表示されている。カメラユーザが送信モード設定画面１００＿１のＯＮボタンを選択すると、縮小スルー画像データを携帯電話２００に送信する送信モードが設定される（図５のステップＳ１１：Ｙｅｓ）。
【００６１】
このとき、デジタルカメラ１００の内部では、通信コントローラ１２０を介して、ＣＰＵ１１９からデータ送受信部１２１に通信ネゴシエーション用のデータが伝えられる。データ送受信部１２１は、通信ネゴシエーション用のデータを電波に変換し、アンテナ１２１ａから通信ネゴシエーション用の電波を発する（図５のステップＳ１２）。このとき、ＣＰＵ１１９からの指示に従って、ビデオエンコーダ１１８がメモリ１２４に予め記憶された通信中画面用のデータを取得し、そのデータが画像表示装置１３０に送られて、液晶パネル１０８に通信中画面１００＿２が表示される。
【００６２】
一方、携帯電話２００を持った携帯ユーザも、携帯電話２００の４方向ボタン２０４を操作し、縮小スルー画像データを受信するための受信モード設定画面の表示を指定する。
【００６３】
このとき、携帯電話２００の内部では、ＣＰＵ２１５の指示に従って、ビデオエンコーダ２１４が、メモリ２１８に予め記憶されている受信モード設定画面用のデータを取得する。取得されたデータは画像表示装置２２０に送られ、携帯電話２００の液晶パネル２０１に、図７に示す受信モード設定画面２００＿１が表示される。
【００６４】
さらに、携帯ユーザが受信モード設定画面２００＿１のＯＮボタンを選択すると、縮小スルー画像データを受信する受信モードが設定される（図６のステップＳ２１：Ｙｅｓ）。
【００６５】
このとき、携帯電話２００の内部では、第２送受信部２１７が第２アンテナ２１７ａでの電波の受信を監視する（図６のステップＳ２２）。このとき、ＣＰＵ２１５からの指示に従って、ビデオエンコーダ２１４がメモリ２１８に予め記憶された通信中画面用のデータを取得し、そのデータが画像表示装置２２０に送られて、携帯電話２００の液晶パネル２０１に、デジタルカメラ１００と同様の通信中画面２００＿２が表示される。
【００６６】
第２アンテナ２１７ａで通信ネゴシエーション用の電波が受信されると、デジタルカメラ１００と携帯電話２００の間の通信が確立される（図５のステップＳ１２：Ｙｅｓ，図６のステップＳ２２：Ｙｅｓ）。
【００６７】
デジタルカメラ１００と携帯電話２００との通信が確立されると、デジタルカメラ１００では、携帯電話２００との通信前と同様にして、液晶パネル１０８にスルー画像１００＿３が表示される。
【００６８】
また、ＣＰＵ１１９からの指示に従って、画像入力コントローラ１１６を介してサイズ変換部１２３に低解像度データが送られ、サイズ変換部１２３では、低解像度データにデータサイズ変換処理が施される（図５のステップＳ１３）。その結果、スルー画像と同一の画像を表わし、低解像度データよりもさらにデータサイズが小さい縮小スルー画像データが生成される。
【００６９】
生成された縮小スルー画像データは、データ送受信部１２１に送られる。データ送受信部１２１は、縮小スルー画像データを電波に変換し、アンテナ１２１ａから携帯電話２００に向けて電波を発する（図５のステップＳ１４）。
【００７０】
このとき、携帯電話２００では、第２アンテナ２１７ａにおいて、デジタルカメラ１００から送られてきた縮小スルー画像データを表わす電波が受信される。受信された電波は、第２送受信部２１７で縮小スルー画像データに変換され、入力コントローラ２１２を介して、ビデオエンコーダ２１４に送られる。ビデオエンコーダ２１４は、縮小スルー画像データを画像表示装置２２０に送る。画像表示装置２２０は、携帯電話２００の液晶パネル２０１に、縮小スルー画像データが表わす縮小スルー画像を表示する（図６のステップＳ２３）。
【００７１】
デジタルカメラ１００では、所定のタイミングごとに繰り返し低解像度データが生成され、それら低解像度データに基づいて生成された縮小スルー画像データが順次に携帯電話２００に送信されて、それらの縮小スルー画像が順次に携帯電話２００の液晶パネル２０１に表示される。デジタルカメラ１００の液晶パネル１０８に表示されたスルー画像１００＿３と、携帯電話２００の液晶パネル２０１に表示された縮小スルー画像２００＿３とは、同一の画像であるが、表示サイズが異なっている。携帯電話２００に、低解像度データではなく縮小スルー画像データを送信することによって、データの通信速度を高速化することができる。
【００７２】
携帯電話２００を持った携帯ユーザは、携帯電話２００の液晶パネル２０１に表示された縮小スルー画像２００＿３を目視して、デジタルカメラ１００の撮影画角内に位置する被写体の構図を確認し、デジタルカメラ１００を持ったカメラユーザに撮影ボタン１０５の押下を依頼する。
【００７３】
このように、本実施形態の撮影システムによると、撮影時の撮影画角内の構図を確認することができるため、他人に撮影を依頼したときなどに、撮影画像の構図が所望の構図と異なってしまう不具合などを回避することができる。また、スルー画像を表示させる補助装置ではスルー画像をメモリに記録する必要がないため、大容量のメモリが内蔵されていない携帯電話などを補助装置として用いることができる。
【００７４】
以上で、本発明における第１の実施形態の説明を終了し、次に、本発明における第２の実施形態について説明する。第２実施形態の撮影システムは、携帯電話に撮影ボタンが備えられており、携帯電話から撮影トリガを送信することができる点が第１実施形態の撮影システムとは異なる。第１実施形態の説明で使用した、図１、図２、および図３を第２実施形態の説明でも転用し、第１実施形態および第２実施形態の相違点についてのみ説明する。また、本実施形態の撮影システムにおいて、ユーザが撮影前に撮影画角内の構図を確認するための一連の処理や、デジタルカメラおよび携帯電話に表示される画面は、第１実施形態の撮影システムとほぼ同様であるため、図５、図６、図７については、同じ符号や同じ画面には同じ符号を付して説明を省略する。
【００７５】
本実施形態の撮影システムでは、図２に示す、携帯電話２００の確定ボタン２０７が、デジタルカメラ１００に撮影を指示するシャッタボタンの役割も担っており、デジタルカメラ１００には、携帯電話２００からの撮影指示を受信して撮影を行う機能が備えられている。
【００７６】
図８は、第２実施形態のデジタルカメラ１００において、縮小スルー画像データを携帯電話２００に向けて送信する一連の処理を示すフローチャートであり、図９は、第２実施形態の携帯電話２００において、デジタルカメラ１００から縮小スルー画像データを受信して、縮小スルー画像を表示する一連の処理を示すフローチャートである。
【００７７】
ここでは、デジタルカメラ１００を置き、ユーザが携帯電話２００を持ってデジタルカメラ１００から離れた場所に移動して、自分自身を撮影する場合について説明する。
【００７８】
図１０は、デジタルカメラ１００および携帯電話２００それぞれの表示画面を示す図である。
【００７９】
ユーザが、デジタルカメラ１００の電源ボタン１０４をスライドさせて電源を入れ、十字キー１１０を押下して、送信モード設定画面の表示を指定する。このとき、図５のステップＳ１１と同様にして、デジタルカメラ１００の液晶パネル１０８に、図１０に示す送信モード設定画面１００＿１が表示される。さらに、ユーザは、送信モード設定画面１００＿１のＯＮボタンを選択して、送信モードを設定する（図８のステップＳ１１：Ｙｅｓ）。このとき、第１実施形態と同様に、液晶パネル１０８に通信中画面１００＿２が表示される。
【００８０】
また、ユーザは、携帯電話２００を持ってデジタルカメラ１００から離れた場所に移動し、携帯電話２００の４方向ボタン２０４を操作して、スルー画像を携帯電話２００に表示させるための受信モード設定画面の表示を指定する。このとき、図６のステップＳ２１と同様にして、携帯電話２００の液晶パネル２０１に、図１０に示す受信モード設定画面２００＿１が表示される。ユーザは、受信モード設定画面２００＿１のＯＮボタンを選択して、受信モードを設定する（図９のステップＳ２１：Ｙｅｓ）。このとき、第１実施形態と同様に、携帯電話２００の液晶パネル２０１に通信中画面２００＿２が表示される。
【００８１】
図５のステップＳ１２、図６のステップＳ２２と同様に、デジタルカメラ１００と携帯電話２００との間で通信が確立されると（図８のステップＳ１２：Ｙｅｓ，図９のステップＳ２２：Ｙｅｓ）、デジタルカメラ１００では、図５のステップＳ１３と同様にして、所定のタイミングごとに生成された低解像度データが縮小スルー画像データにサイズ変換される（図８のステップＳ１３）。生成された縮小スルー画像データは、図５のステップＳ１４と同様にして、携帯電話２００に送信される（図８のステップＳ１４）。このとき、本実施形態においては、ＣＰＵ１１９からの指示に従って、ビデオエンコーダ１１８がメモリ１２４に予め記憶されたデータを取得し、そのデータが画像表示装置１３０に送られて、液晶パネル１０８に「撮影指示待機中」と示されたスルー画像１００＿３´が表示される。
【００８２】
また、携帯電話２００では、図６のステップＳ２３と同様にして、デジタルカメラ１００から送られてきた縮小スルー画像データが受信され、液晶パネル２０１に縮小スルー画像２００＿３´が表示される（図９のステップＳ２３）。本実施形態においては、縮小スルー画像データに基づいて、表示サイズはスルー画像１００＿３と同等だが、スルー画像１００＿３よりも画素数の小さい縮小スルー画像２００＿３´が表示される。
【００８３】
以上のようにして携帯電話２００の液晶パネル２０１に縮小スルー画像２００＿３´が表示されると、ユーザは、縮小スルー画像２００＿３´を目視し、デジタルカメラ１００の撮影画角内に自分が入っているかを確認して、携帯電話２００の確定ボタン２０７を押下する。
【００８４】
ユーザが確定ボタン２０７を押下すると、携帯電話２００の内部では、確定スイッチ２３２が入ったことがＣＰＵ２１５に伝えられる。ＣＰＵ２１５は、撮影を指示する指示データを、通信コントローラ２１６を介して第２送受信部２１７に送る。第２送受信部２１７は、指示データを電波に変換して、第２アンテナ２１７ａから送信する（図９のステップＳ２４：Ｙｅｓ）。この指示データは、本発明にいう撮影トリガの一例にあたり、第２送受信部２１７は、本発明にいうトリガ送信部の一例に相当する。このとき、本実施形態においては、ＣＰＵ２１５からの指示に従って、ビデオエンコーダ２１４がメモリ２１８に予め記憶された撮影終了待機画面用のデータを取得し、そのデータが画像表示装置２２０に送られて、液晶パネル２０１に撮影終了待機画面２００＿４が表示される。
【００８５】
携帯電話２００から送られてきた指示データを表わす電波は、デジタルカメラ１００のアンテナ１２１ａで受信されて、データ送受信部１２１でデジタル化される（図８のステップＳ１５：Ｙｅｓ）。このアンテナ１２１ａとデータ送受信部１２１を合わせたものは、本発明にいうトリガ受信部の一例に相当する。
【００８６】
指示データが受信されると、ＣＰＵ１１９はデジタルカメラ１００のシャッタスイッチ１５１を入れる。シャッタスイッチ１５１が入ると、本撮影が行われる（図８のステップＳ１６）。本撮影においては、ＣＣＤ１１４で受光された被写体光に基づいて、解像度の高い撮影画像データが取得される。解像度の高い撮影画像データは、一旦メモリ１２４に送られ、ＣＰＵ１１９からの指示に従って、画像信号処理部１１７によってメモリ１２４から取得される。画像信号処理部１１７は、撮影画像データに画像処理を施して、画像処理後の撮影画像データを圧縮処理部１２２に送る。圧縮処理部１２２は、画像処理が施された撮影画像データに圧縮処理を施し、圧縮後の撮影画像データを再度メモリ１２４に送る。撮影が行われて、撮影画像データに圧縮処理が施されるまでの間には、ＣＰＵ１１９からの指示に従って、ビデオエンコーダ１１８がメモリ１２４に予め記憶されたデータを取得し、そのデータが画像表示装置１３０に送られて、液晶パネル１０８に撮影中画面１００＿４が表示される。メディアコントローラ１２４は、メモリ１２４に記憶された圧縮後の撮影画像データを取得して、その撮影画像データを記録メディア１４０に記録する。また、ビデオエンコーダ１１８も、メモリ１２４に記憶された圧縮後の撮影画像データを取得し、液晶パネル１０８用にデータ形式を変換した後で画像表示装置１３０に送る。画像表示装置１３０は撮影画像データに基づいて、液晶パネル１０８に撮影画像１００＿５を表示する。この撮影画像１００＿５には、この画像が撮影画像であることを示すマークが付されている。
【００８７】
撮影が終了すると、ＣＰＵ１１９からデータ送受信部１２１に、撮影終了を示す撮影終了データが送られる。データ送受信部１２１は、撮影終了データを電波に変換し、アンテナ１２１ａから電波を発する（図８のステップＳ１７）。続いて、通信コントローラ１２０を介して、圧縮後の撮影画像データがデータ送受信部１２１に送られ、その撮影画像データが電波に変換されて、アンテナ１２１ａから携帯電話２００に向けて送信される（図８のステップＳ１８）。
【００８８】
携帯電話２００では、第２アンテナ２１７ａにおいて、撮影終了データを表わす電波が受信され（図９のステップＳ２５：Ｙｅｓ）、続いて、圧縮後の撮影画像データを表わす電波が受信される（図９のステップＳ２６）。圧縮後の撮影画像データを表わす電波は、第２送受信部２１７で圧縮後の撮影画像データに変換され、通信コントローラ２１６を介して画像信号処理部２１３に送られる。圧縮後の撮影画像データは画像信号処理部２１３で解凍されてビデオエンコーダ２１４に送られ、液晶パネル２０１用にデータ形式が変換された後、画像表示装置２２０に送られる。液晶パネル２０１には、この画像が撮影画像であることを示すマークが付された撮影画像２００＿５が表示される（図９のステップＳ２７）。
【００８９】
このように、携帯電話２００から撮影トリガを送信することによって、他人に撮影ボタンの押下を頼まなくても所望の構図で撮影を行うことができる。
【００９０】
ここで、上記では、本発明にいう撮影装置として静止画を撮影するデジタルカメラを適用する例について説明したが、本発明にいう撮影装置は、動画を撮影するデジタルカメラであってもよい。
【００９１】
また、上記では、ＣＣＤで読み取られた被写体像に基づく撮影画像データを生成するデジタルカメラについて説明したが、本発明にいう撮影装置は、スルー画像データを取得して補助装置に送信するものであれば、カメラ付き携帯電話や、デジタルカメラと銀塩カメラとの複合機などであってもよい。
【００９２】
また、上記では、本発明にいう補助装置として携帯電話を適用する例について説明したが、本発明にいう補助装置は、スルー画像を表示する表示画面を備えたものであれば、撮影装置に付属されたリモートコントローラなどであってもよい。
また、上記では、撮影装置と補助装置との間の通信インタフェースとしてブルートゥース（Ｂｌｕｅｔｏｏｔｈ）を適用する例について説明したが、撮影装置と補助装置との間の通信インタフェースは、赤外線などであってもよく、ＵＳＢなどといった有線の通信インタフェースであってもよい。
【図面の簡単な説明】
【００９３】
【図１】本発明の一実施形態が適用された撮影システムを構成するデジタルカメラの外観図である。
【図２】本発明の一実施形態が適用された撮影システムを構成する携帯電話の外観図である。
【図３】デジタルカメラ１００のブロック図である。
【図４】携帯電話２００のブロック図である。
【図５】デジタルカメラ１００において、スルー画像データを携帯電話２００に向けて送信する一連の処理を示すフローチャートである。
【図６】携帯電話２００において、デジタルカメラ１００からスルー画像データを受信して、スルー画像を表示する一連の処理を示すフローチャートである。
【図７】デジタルカメラ１００および携帯電話２００それぞれの表示画面を示す図である。
【図８】デジタルカメラ１００において、縮小スルー画像データを携帯電話２００に向けて送信する一連の処理を示すフローチャートである。
【図９】携帯電話２００において、デジタルカメラ１００から縮小スルー画像データを受信して、縮小スルー画像を表示する一連の処理を示すフローチャートである。
【図１０】デジタルカメラ１００および携帯電話２００それぞれの表示画面を示す図である。
【符号の説明】
【００９４】
１００    デジタルカメラ
１０１    撮影レンズ
１０２    ファインダ
１０３    閃光発光装置
１０４    電源ボタン
１０５    シャッタボタン
１１１    ズームレンズ
１１１ａ    ズーム用モータドライバ
１１２    フォーカスレンズ
１１２ａ    フォーカス用モータドライバ
１１３    アイリス
１１３ａ    アイリス用モータドライバ
１１４    ＣＣＤ
１１５    Ａ／Ｄ変換部
１１６    画像入力コントローラ
１１７    画像信号処理部
１１８    ビデオエンコーダ
１１９    ＣＰＵ
１２０    通信コントローラ
１２１    データ送受信部
１２２    圧縮処理部
１２３    サイズ変換部
１２４    メモリ
１２５    メディアコントローラ
１４０    記録メディア
２００    携帯電話
２０１    表示画面
２０２    プッシュボタン
２０３    マイク
２１１    第１送受信部
２１１ａ    第１アンテナ
２１２    入力コントローラ
２１３    画像信号処理部
２１４    ビデオエンコーダ
２１５    ＣＰＵ
２１６    通信コントローラ
２１７    第２送受信部
２１７ａ    第２アンテナ
２１８    メモリ
２２０    画像表示装置
【図１】
2006135587.tif 000003
【図２】
2006135587.tif 000004
【図３】
2006135587.tif 000005
【図４】
2006135587.tif 000006
【図５】
2006135587.tif 000007
【図６】
2006135587.tif 000008
【図７】
2006135587.tif 000009
【図８】
2006135587.tif 000010
【図９】
2006135587.tif 000011
【図１０】
2006135587.tif 000012